(57)【要約】【課題】蓋パネルと基板カバーの外周縁を気密に結合して形成された気密空間の内部に表示基板に支持された液晶を収納してなる炊飯器用表示基板ユニットにおいて、前記気密空間の気密検査の作業性を改善することである。【解決手段】表示基板ユニット４の基板カバー７に気密空間８の内部と通じた中空突起２３を設け、その中空突起２３の一部に容易に切除可能な脆弱部２５を設け、検査対象となる場合はその脆弱部２５において中空突起２３を切除して検査用の穴２６を明け、検査終了後にその穴２６を閉鎖し、検査対象とならない場合は中空突起２３を残したまま検査工程を終了するようにした。【選択図】  図２
2004275599.tif 000002
【特許請求の範囲】
【請求項１】
蓋パネルと基板カバーとによって囲まれた気密空間の内部に表示基板を収納してなる炊飯器用表示基板ユニットにおいて、前記基板カバーに前記気密空間の内部と通じた中空突起を設け、その中空突起の一部に容易に切除可能な脆弱部を設けたことを特徴とする炊飯器用表示基板ユニットの気密検査構造。
【請求項２】
前記中空突起を前記基板カバーの一部に形成した浅い凹部に設け、前記脆弱部をその凹部の深さの範囲内に設けたことを特徴とする請求項１に記載の炊飯器用表示基板ユニットの気密検査構造。
【請求項３】
蓋パネルと基板カバーとによって囲まれた気密空間の内部に表示基板を収納した炊飯器用表示基板ユニットの気密検査方法において、前記基板カバーに前記気密空間の内部と通じた中空突起を予め設けるとともに、その中空突起の一部に容易に切除可能な脆弱部を設けておき、気密検査に際し該中空突起をその脆弱部から切除して気密検査用の穴を明け、その穴を通じて気密検査を行ったのち該穴を閉鎖することを特徴とする炊飯器用表示基板ユニットの気密検査方法。
【請求項４】
前記中空突起を前記基板カバーの一部に形成した浅い凹部に設けるとともに前記脆弱部をその凹部の深さの範囲内に設け、前記の気密検査終了後前記凹部にテープを貼って前記気密検査用の穴を閉鎖することを特徴とする請求項３に記載の炊飯器用表示基板ユニットの気密検査方法。
【発明の詳細な説明】
【０００１】
【発明の属する技術分野】
この発明は、炊飯器（炊飯ジャーを含む）の表示基板ユニットの気密検査構造及び気密検査方法に関するものである。
【０００２】
【従来の技術】
炊飯器において各種の表示を行うために蓋パネルの下面に液晶を取付けることが従来から行われており、その液晶部分に水の侵入を防止するために液晶を気密空間に収納する構造が採られる（特許文献１参照）。その気密空間は、通常、液晶を搭載した表示基板を基板カバーの上面に取付けるとともに、その基板カバーの外周縁を蓋パネルの下面に気密を保持して押し当てることにより構成される。そして、その気密空間の気密検査を行うために、基板カバーの一部に検査用プロ−ブを挿通するための穴が設けられる。この穴は、気密検査が終了すればテープを貼って閉鎖される。
【０００３】
【特許文献１】
特開２０００−２３７０４３号公報（実施例、図１）
【０００４】
【発明が解決しようとする課題】
気密検査の終了後に検査用の穴を逐一閉鎖する作業を全製品について行うことは、全数検査を行う場合は避けることができないものである。しかし、抜取り検査を行う場合は、検査対象となる少数の製品についてはともかく、検査対象とならない大多数のものについても前記穴の閉鎖作業を逐一行う必要があり、検査工程の作業性を損なう要因となっていた。
【０００５】
そこで、この発明は、炊飯器の表示基板ユニットにおいて、検査対象とならない場合は何らの措置も施す必要がないようにする一方、検査対象となる場合は簡単に検査用の穴が形成できるようにして検査工程の作業性を改善することを課題とする。
【０００６】
【課題を解決するための手段】
上記の課題を解決するための気密検査構造は、蓋パネルと基板カバーとによって囲まれた気密空間の内部に表示基板を収納してなる炊飯器用表示基板ユニットにおいて、前記基板カバーに前記気密空間の内部と通じた中空突起を設け、その中空突起の一部に容易に切除可能な脆弱部を設けた構成としたものである。
【０００７】
上記の構成の表示基板ユニットの気密検査は次のようにして行う。即ち、表示基板ユニットの内部は製作当初の段階では密閉状態にある。気密検査工程において、検査対象になるものについては中空突起をその脆弱部で切断除去して気密検査用の穴を明け、その穴を通じて気密検査を行う。検査を終了した後はその穴を適宜な手段で閉鎖する。検査対象にならないものは中空突起を残したまま検査工程を終了する。
【０００８】
なお、前記中空突起を前記基板カバーの一部に形成した浅い凹部に設け、前記脆弱部をその凹部の深さの範囲内に設けた構成を採ってもよい。そのように構成すると、中空突起を切除した際にその切断端は凹部の表面より低い位置に残存する。従って、穴の閉鎖を行うべく凹部にテープを貼った場合、テープが切断端に接触することがない。
【０００９】
【発明の実施の形態】
以下、添付図面に基づいてこの発明の実施形態を説明する。図１に示すように、実施形態の炊飯器は、炊飯器本体１にその後部のヒンジ軸２により蓋セット３を開閉自在に取付けている。蓋セット３の前端寄りに表示基板ユニット４が組込まれ、その表示基板ユニット４の前部にフック５が設けられる。
【００１０】
表示基板ユニット４は、図１及び図２に示すように、蓋パネル６と基板カバー７とによって囲まれた気密空間８内に液晶９を搭載した表示基板１１が収納される。前記の基板カバー７は周壁１２を有する大略楕円形の皿型をなし、その周壁１２の上面に環状のパッキン溝１３が設けられる（図４参照）。また、その周壁１２の数か所に蓋パネル６との結合アーム１４が設けられ、さらに蓋セット３の蓋上部材１５との結合アーム１６も数か所に設けられる（図３、図４参照）。
【００１１】
前記の基板カバー７の上面に取付け用のボス部１７、１７が２か所に設けられ（図２（ａ）、図４（ａ）参照）、そのボス部１７、１７に表示基板１１が固定される。前記の周壁１２はその表示基板１１を囲む大きさに形成され、その表示基板１１の両側と周壁１２との間に所要数のスイッチ１８が設けられる（図５参照）。さらに、表示基板１１に接続されたフラットケーブル１９が基板カバー７のスリット２１から外部に引き出される。そのスリット２１とフラットケーブル１９の通過部分のすき間にシール材２２が充填される（図２参照）。また、基板カバー７の底面に中空突起２３が下方に突き出して設けられる。
【００１２】
上記の中空突起２３は、図２（ｂ）に示すように、基板カバー７の底面に設けた浅い凹部２４の中心部に設けられ、その中心部において中空突起２３は基板カバー７の内部に連通している。また、中空突起２３の根元外周に切込みによる脆弱部２５を凹部２４の深さの範囲内において形成している。この脆弱部２５は中空突起２３の肉厚を破るほど深いものではないが、作業者が指先又は工具で中空突起２３をつまんで捻ることにより切除される程度の脆さのものである。その切除により凹部２４に気密検査用の穴２６が明けられる（図２（ｃ）参照）。穴２６の周りに生じる切断端２７は、凹部２４から外部に露出することがない。このため、中空突起２３の切除後に凹部２４に穴２６閉鎖用のテープ２８（図２（ｄ）参照）を貼った際に、切断端２７がテープ２８の裏面に接触することがなく、テープ２８を突き破るおそれがない。
【００１３】
前記の基板カバー７のパッキン溝１３に中空の無端状パッキン２９が装着される。そのパッキン２９を装着した基板カバー７の外周縁が前記蓋パネル６の下面に押し当てられ、前記の各結合アーム１４をビス３０により蓋パネル６の下面周縁部のねじ部３１にねじ結合し、基板カバー７と蓋パネル６とを一体化して表示基板ユニット４を構成する。この表示基板ユニット４において、基板カバー７と蓋パネル６の外周縁が前記のパッキン２９によりシールされ、これによって前記の気密空間８が形成される。その気密空間８の内部に表示基板１１、液晶９等が気密を保持して収納される。
【００１４】
前記表示基板ユニット４の気密検査を行う場合、通常は抜取り検査であるので、検査対象とならない大多数のものは、何らの措置を施すことなく、即ち中空突起２３を残したまま検査を終了する。検査対象となるものは、まず中空突起２３を指先でつまんで捻ることにより脆弱部２５から先の部分を切断除去して検査用の穴２６を明ける。その穴２６に検査用プローブを挿入して気密検査を行い、検査終了後、凹部２４にテープ２８を貼付して気密状態を回復し検査を終了する。前述のように、中空突起２３の切断端２７は凹部２４の深さの範囲内にありそれより高く突き出すことはないので、テープ２８が破れる恐れはない。
【００１５】
なお、検査終了後の組立て工程において、前記の表示基板ユニット４は蓋上部材１５の下面にビス３２（図３参照）により固定される。
【００１６】
次に、前記蓋セット３のその他の構造として、放熱板セットの検知構造について図６から図８に基づいて説明する。蓋セット３の下面には放熱板セット５８が着脱自在に取付けられるが（図１参照）、手入れ等の際に使用者がその放熱板セット５８の装着を忘れることがある。このため、放熱板セット５８の有無を検知する検知スイッチ３４を設けることが行われるが、検知スイッチ３４の小型化につれてそれを蓋セット３に固定するナットも小さくなり、作業性を損なう原因となっていた。
【００１７】
図６から図８に示した放熱板セット検知構造は、このような問題点を解消するものである。この場合の検知スイッチ３４は、図６に示すように蓋セット３のヒンジ軸２に近い部分において蓋リング３５の補強金具３６に取付けられる。検知スイッチ３４は、図７（ａ）に示すように、平行な２か所の取付け穴３７、３７’を有する。検知スイッチ３４を支持するステー３８はばね性のある金属板で形成され、前記補強金具３６に取付けるための取付け穴３９が後端部に設けられる。また、蓋リング３５のボス部４１（図８参照）に支持させるための取付け穴３９’が前端部に設けられる。ステー３８は上記の取付け穴３９においてビス４０により補強金具３６に固定され、他方の取付け穴３９’においてはコイルばね４２を介在したビス４０’により前記ボス部４１に支持される。コイルばね４２を介在していることにより、ステー３８は後端側のビス４０による固定部を支点としてある程度の撓みが可能となる。また、ステー３８には、その後端側に補強金具３６の両側に沿って下向き屈曲させた位置決め片４３、４３が設けられるとともに、前端側の端辺に上向きに屈曲された取付け片４４が設けられ、その取付け片４４にビス穴４５が設けられる。取付け片４４の前面側に前記の検知スイッチ３４が取付けられる。該取付け片４４の一側辺に前方に突き出した突片４６が設けられる。前記のビス穴４５と、突片４６はそれぞれ前記検知スイッチ３４の取付け穴３７、３７’に対応する。さらに、前記ステー３８の前端縁の内側において左右２か所に低い切起こし部４７、４７が設けられる。
【００１８】
一方、前記のステー３８とは別部材である帯状のナット支持部材４８が設けられ、これに四角ナット４９が固着される。このナット支持部材４８は左右両端部に下向きの屈曲部５１、５１が設けられ、その屈曲部５１、５１が前記ステー３８の左右両側辺にスライド可能に嵌合される。屈曲部５１、５１をステー３８に嵌合させた状態で前記の四角ナット４９、前記のビス穴４５、検知スイッチ３４の取付け穴３７のセンターが一致する。ナット支持部材４８を前端部までスライドさせると、前記の切起こし部４７、４７上に乗り上げ、その弾性によりナット支持部材４８がその位置において仮固定される。
【００１９】
前記のステー３８に検知スイッチ３４を取付けるに先立って前記のナット支持部材４８がステー３８に仮固定される。検知スイッチ３４は、その一方の取付け穴３７’に突片４６を挿入するとともに、ビス５２を他方の取付け穴３７に挿入して四角ナット４９に螺合させる。四角ナット４９はナット支持部材４８とともに引寄せられ、取付け片４４の後面に押し当てられる。四角ナット４９は小型の部品であり取り扱い難いものであるが、上記の構成によると、その四角ナット４９が予めナット支持部材４８に取付けられおり、かつ屈曲部５１、５１のステー３８への嵌合により回り止めされているので、取り扱いが容易であり作業性もよい。
【００２０】
前記検知スイッチ３４のアーマチュア５３に対向して蓋リング３５を貫通して検知部材５４が上下動可能に設けられる。検知部材５４の下端部外周に設けたばね受け段部５５と蓋リング３５との間に、ばね係数の小さいコイルばね５６がパッキン５７とともに嵌合され、これにより検知部材５４を下向きに付勢している。検知部材５４の下端は放熱板セット５８の周縁部に対向し、またその上端部は前記のアーマチュア５３に接している（図８（ａ）参照）。放熱板セット５８が装着されると、図８（ｂ）に示すように、検知部材５４が放熱板セット５８により押し上げられ、同時にアーマチュア５３が押上げられる。これにより検知スイッチ３４がオンとなり放熱板セット５８の装着を電気的に検知することができる。
【００２１】
【発明の効果】
以上のように、この発明によると、炊飯器における表示基板ユニットの気密検査において、検査対象とならないものについては中空突起を残したまま何らの処置を施すことなく次工程に送ることができる。また検査対象となるものについては中空突起を脆弱部において切除することにより検査用の穴を容易に作ることができるとともに検査後の閉鎖も簡単にできるものであるから、気密検査の作業性が改善される。
【図面の簡単な説明】
【図１】実施形態の断面図
【図２】（ａ）同上の一部拡大断面図
（ｂ）中空突起の拡大断面図
（ｃ）中空突起の切除状態の拡大断面図
（ｄ）中空突起の切除後の拡大断面図
【図３】同上の一部分解斜視図
【図４】（ａ）同上の基板カバーの平面図
（ｂ）（ａ）図のｂ−ｂ線の断面図
（ｃ）（ａ）図のパッキンの一部切欠斜視図
【図５】同上の表示基板ユニットの一部省略斜視図
【図６】同上の蓋セットの横断平面図
【図７】（ａ）同上の放熱板セット検知装置の一部斜視図
（ｂ）（ｂ）図の組立て状態の平面図
（ｃ）（ｂ）図の左側面図
（ｄ）（ｂ）図の右側面図
【図８】（ａ）同上の放熱板セット検知装置の断面図
（ｂ）同上の放熱板セット検知装置の作動状態における断面図
【符号の説明】
１  炊飯器本体
２  ヒンジ軸
３  蓋セット
４  表示基板ユニット
５  フック
６  蓋パネル
７  基板カバー
８  気密空間
９  液晶
１１  表示基板
１２  周壁
１３  パッキン溝
１４  結合アーム
１５  蓋上部材
１６  結合アーム
１７  ボス部
１８  スイッチ
１９  フラットケーブル
２１  スリット
２２  シール材
２３  中空突起
２４  凹部
２５  脆弱部
２６  穴
２７  切断端
２８  テープ
２９  パッキン
３０  ビス
３１  ねじ部
３２  ビス
３４  検知スイッチ
３５  蓋リング
３６  補強金具
３７、３７’  取付け穴
３８  ステー
３９、３９’  取付け穴
４０、４０’  ビス
４１  ボス部
４２  コイルばね
４３  位置決め片
４４  取付け片
４５  ビス穴
４６  突片
４７  切起し部
４８  ナット支持部材
４９  四角ナット
５１  屈曲部
５２  ビス
５３  アーマチュア
５４  検知部材
５５  ばね受け段部
５６  コイルばね
５７  パッキン
５８  放熱板セット
【図１】
2004275599.tif 000003
【図２】
2004275599.tif 000004
【図３】
2004275599.tif 000005
【図４】
2004275599.tif 000006
【図５】
2004275599.tif 000007
【図６】
2004275599.tif 000008
【図７】
2004275599.tif 000009
【図８】
2004275599.tif 000010